(57)【要約】【課題】セカンダリ基地局との通信断によるマスタ基地局へのアクセス集中を回避するための技術を提供することである。【解決手段】本発明の一態様は、デュアルコネクティビティによりマスタ基地局とセカンダリ基地局と同時に通信する送受信部と、前記セカンダリ基地局との通信において無線リンク障害（ＲＬＦ）を検出するＲＬＦ検出部と、前記無線リンク障害の検出に応答して、バックオフタイマを起動するバックオフタイマ管理部と、前記バックオフタイマの満了に応答して、前記無線リンク障害を前記マスタ基地局に通知するＲＬＦ通知部とを有するユーザ装置に関する。【選択図】図６
2015226295.tif 000002
【特許請求の範囲】
【請求項１】
デュアルコネクティビティによりマスタ基地局とセカンダリ基地局と同時に通信する送受信部と、
前記セカンダリ基地局との通信において無線リンク障害（ＲＬＦ）を検出するＲＬＦ検出部と、
前記無線リンク障害の検出に応答して、バックオフタイマを起動するバックオフタイマ管理部と、
前記バックオフタイマの満了に応答して、前記無線リンク障害を前記マスタ基地局に通知するＲＬＦ通知部と、
を有するユーザ装置。
【請求項２】
前記バックオフタイマ管理部は、前記無線リンク障害の検出に応答して、前記マスタ基地局との通信においてスケジューリングリクエストリソースが設定されているか否か判定し、前記スケジューリングリクエストリソースが設定されていない場合、前記バックオフタイマを起動する、請求項１記載のユーザ装置。
【請求項３】
前記バックオフタイマ管理部は、前記スケジューリングリクエストリソースが設定されている場合、前記ＲＬＦ通知部に前記バックオフタイマの満了を通知する、請求項２記載のユーザ装置。
【請求項４】
前記バックオフタイマ管理部は、前記デュアルコネクティビティが設定される際、前記バックオフタイマを前記マスタ基地局から指定されたタイマ値に設定する、請求項１乃至３何れか一項記載のユーザ装置。
【請求項５】
前記タイマ値は、全てのセカンダリセルグループに対して共通の値に設定されるか、又は各セカンダリセルグループに対して個別の値に設定される、請求項４記載のユーザ装置。
【請求項６】
前記タイマ値は、各ユーザ装置に対して分散された個別の値に設定される、請求項４記載のユーザ装置。
【請求項７】
前記バックオフタイマ管理部は、前記指定されたタイマ値を上限とする範囲から前記バックオフタイマのタイマ値をランダムに選択する、請求項４乃至６何れか一項記載のユーザ装置。
【請求項８】
前記ＲＬＦ検出部は、前記検出した無線リンク障害の原因を前記バックオフタイマ管理部に通知し、
前記バックオフタイマ管理部は、前記無線リンク障害の原因毎に前記バックオフタイマを設定する、請求項１乃至７何れか一項記載のユーザ装置。
【請求項９】
前記バックオフタイマ管理部は、前記セカンダリ基地局を起因とする無線リンク障害に対して前記バックオフタイマを起動する、請求項８記載のユーザ装置。
【請求項１０】
デュアルコネクティビティによりマスタ基地局とセカンダリ基地局と同時に通信するユーザ装置による無線リンク障害通知方法であって、
前記セカンダリ基地局との通信において無線リンク障害（ＲＬＦ）を検出するステップと、
前記無線リンク障害の検出に応答して、バックオフタイマを起動するステップと、
前記バックオフタイマの満了に応答して、前記無線リンク障害を前記マスタ基地局に通知するステップと、
を有する方法。
【発明の詳細な説明】
【技術分野】
【０００１】
本発明は、無線通信システムに関する。
【背景技術】
【０００２】
無線通信システムの高速化及び大容量化を図るため、ＬＴＥ（Ｌｏｎｇ  Ｔｅｒｍ  Ｅｖｏｌｕｔｉｏｎ）システムが利用されている。ＬＴＥシステムでは、基地局（ｅｖｏｌｖｅｄ  Ｎｏｄｅ  Ｂ：ｅＮＢ）とユーザ装置（Ｕｓｅｒ  Ｅｑｕｉｐｍｅｎｔ：ＵＥ）との間の無線リンクにおいてユーザ装置が異常を検出した場合、ユーザ装置は、基地局との無線リンクを再確立するために基地局に対して再接続要求手順を実行することが規定されている。無線品質が劣化する毎に発信手順が実行されることは、当該処理に伴って遅延を生じさせるため望ましくない。このため、発信手順の代わりに再接続要求手順が実行される。再接続手順の起動契機として、例えば、無線リンク障害（Ｒａｄｉｏ  Ｌｉｎｋ  Ｆａｉｌｕｒｅ：ＲＬＦ）、ハンドオーバの失敗、インテグリティの失敗、リコンフィギュレーションの失敗などの検出があげられる。また、無線リンク障害は、ダウンリンク品質の劣化、ＲＡ（Ｒａｎｄｏｍ  Ａｃｃｅｓｓ）プリアンブル最大再送回数の超過、ＲＬＣ（Ｒａｄｉｏ  Ｌｉｎｋ  Ｃｏｎｔｒｏｌ）最大再送回数の超過などに応答して検出される。
【０００３】
ＬＴＥシステムでは、ユーザ装置と基地局との間の再接続手順は、図１に示されるような処理シーケンスにより実行される。すなわち、上述した無線リンク障害の検出などの再接続手順の起動契機を検出すると、ユーザ装置はまずＲＡプリアンブルを基地局に送信する。これに応答して、基地局はＲＡレスポンスを返信する。ＲＡレスポンスを受信すると、ユーザ装置は再接続を要求するため、ＲＲＣ  ｃｏｎｎｅｃｔｉｏｎ  ｒｅ−ｅｓｔａｂｌｉｓｈｍｅｎｔ  ｒｅｑｕｅｓｔを送信する。これに応答して、基地局は、シグナリング無線ベアラ１（Ｓｉｇｎａｌｉｎｇ  Ｒａｄｉｏ  Ｂｅａｒｅｒ  １：ＳＲＢ１）を確立するため、当該ユーザ装置に個別のコンフィギュレーションを通知するためのＲＲＣ  ｃｏｎｎｅｃｔｉｏｎ  ｒｅ−ｅｓｔａｂｌｉｓｈｍｅｎｔを返信する。当該コンフィギュレーションを完了すると、ユーザ装置は、ＲＲＣ  ｃｏｎｎｅｃｔｉｏｎ  ｒｅ−ｅｓｔａｂｌｉｓｈｍｅｎｔ  ｃｏｍｐｌｅｔｅを送信する。これに応答して、基地局は、ＳＲＢ２又はデータ無線ベアラ（Ｄａｔａ  Ｒａｄｉｏ  Ｂｅａｒｅｒ：ＤＲＢ）を確立するため、ＲＲＣ  ｃｏｎｎｅｃｔｉｏｎ  ｒｅｃｏｎｆｉｇｕｒａｔｉｏｎを返信する。当該リコンフィギュレーションを完了すると、ユーザ装置は、ＲＲＣ  ｃｏｎｎｅｃｔｉｏｎ  ｒｅｃｏｎｆｉｇｕｒａｔｉｏｎ  ｃｏｍｐｌｅｔｅを送信する。これらの処理によって、ユーザ装置と基地局との間でＵ−ｐｌａｎｅデータが通信可能になり、再接続処理が完了する。
【０００４】
現在、ＬＴＥシステムの次世代の通信規格として、ＬＴＥ−Ａｄｖａｎｃｅｄの仕様策定が進められている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００５】
キャリアアグリゲーションでは、ユーザ装置は、複数のコンポーネントキャリアを同時に用いて基地局と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）又はセカンダリセルグループ（ＳＣＧ）とが設定される。
【０００６】
プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。
【０００７】
ＬＴＥ  Ｒｅｌｅａｓｅ  １０（Ｒｅｌ−１０）までのキャリアアグリゲーションでは、図２の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図２の右図に示されるように、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【０００８】
マスタ基地局（ＭｅＮＢ）とセカンダリ基地局（ＳｅＮＢ）とによるデュアルコネクティビティがユーザ装置に対して設定されている場合、図３に示されるように、ユーザ装置は、セカンダリ基地局により提供されるセカンダリセルグループで無線リンク障害（ＲＬＦ）を検出すると、上述した再接続手順を起動することなく、無線リンク障害の検出をマスタ基地局に報告することが規定されている。これは、接続性はマスタ基地局との間で担保されているため、再接続手順は不要であると考えられるためである。当該ＲＬＦ報告を受信すると、マスタ基地局は、これをセカンダリ基地局に転送し、報告されたセカンダリセルグループをセカンダリ基地局に削除させるか、あるいはユーザ装置に設定されるセカンダリセルを変更する。その後、マスタ基地局は新たなコンフィギュレーションを通知するため、ユーザ装置にＲＲＣ  ｃｏｎｎｅｃｔｉｏｎ  ｒｅｃｏｎｆｉｇｕｒａｔｉｏｎを送信する。
【先行技術文献】
【非特許文献】
【０００９】
【非特許文献１】３ＧＰＰ  ＴＳ３６．３３１  Ｖ１２．１．０（２０１４−０３）
【非特許文献２】Ｒ２−１３１７８２
【発明の概要】
【発明が解決しようとする課題】
【００１０】
図４に示されるように、セカンダリ基地局との通信中に通信断が発生すると、当該セカンダリ基地局と通信していた全てのユーザ装置が一斉にマスタ基地局にアクセスすることになる。すなわち、デュアルコネクティビティによりセカンダリ基地局と通信していたユーザ装置は、マスタ基地局に無線リンク障害を報告し、非デュアルコネクティビティによりセカンダリ基地局と通信していたユーザ装置は、典型的には広いカバレッジを有する近隣のマスタ基地局との再接続を試みる。
【００１１】
このように、多数のユーザ装置が一斉にマスタ基地局にアクセスすることによって、当該プライマリセルが輻輳し、結果としてユーザ装置の通信復帰が遅延する可能性がある。特に、デュアルコネクティビティにより通信していたユーザ装置については、マスタ基地局との接続が維持されているため、セカンダリ基地局との通信断による影響はそれほど重大ではないが、非デュアルコネクティビティにより通信していたユーザ装置については、全ベアラが切断されているため、早期の再接続手順の完了が必要となる。
【００１２】
上述した問題点に鑑み、本発明の課題は、セカンダリ基地局との通信断によるマスタ基地局へのアクセス集中を回避するための技術を提供することである。
【課題を解決するための手段】
【００１３】
上記課題を解決するため、本発明の一態様は、デュアルコネクティビティによりマスタ基地局とセカンダリ基地局と同時に通信する送受信部と、前記セカンダリ基地局との通信において無線リンク障害（ＲＬＦ）を検出するＲＬＦ検出部と、前記無線リンク障害の検出に応答して、バックオフタイマを起動するバックオフタイマ管理部と、前記バックオフタイマの満了に応答して、前記無線リンク障害を前記マスタ基地局に通知するＲＬＦ通知部とを有するユーザ装置に関する。
【発明の効果】
【００１４】
本発明によると、セカンダリ基地局との通信断によるマスタ基地局へのアクセス集中を回避することができる。
【図面の簡単な説明】
【００１５】
【図１】図１は、ＬＴＥシステムにおけるＲＲＣ再接続手順を示すシーケンス図である。
【図２】図２は、キャリアアグリゲーションを示す概略図である。
【図３】図３は、デュアルコネクティビティにおける無線リンク障害制御を示す概略図である。
【図４】図４は、ＳｅＮＢとの間で通信断が生じた場合のユーザ装置の動作を示す概略図である。
【図５】図５は、本発明の一実施例による無線通信システムを示す概略図である。
【図６】図６は、本発明の一実施例によるユーザ装置の構成を示すブロック図である。
【図７】図７は、本発明の一実施例による無線リンク障害通知処理を示すフロー図である。
【発明を実施するための形態】
【００１６】
以下、図面に基づいて本発明の実施の形態を説明する。
【００１７】
複数の基地局と同時通信するデュアルコネクティビティ機能を有するユーザ装置が開示される。後述される実施例を概略すると、セカンダリ基地局との通信断が生じた場合、当該セカンダリ基地局と通信していたデュアルコネクティビティが設定されていないユーザ装置の接続復帰を優先させると共に、マスタ基地局へのアクセスの集中を回避するため、デュアルコネクティビティにより当該セカンダリ基地局と通信していたユーザ装置は、無線リンク障害の通知を遅延させる。
【００１８】
具体的には、デュアルコネクティビティが設定された際、ユーザ装置は、セカンダリ基地局との通信において検出された無線リンク障害の報告を遅延させるためのバックオフタイマを設定する。セカンダリ基地局との通信において無線リンク障害を検出すると、ユーザ装置は、当該バックオフタイマを起動する。バックオフタイマが満了すると、ユーザ装置は、無線リンク障害をマスタ基地局に通知する。
【００１９】
一実施例では、デュアルコネクティビティにより当該セカンダリ基地局と通信していたユーザ装置が無線リンク障害の報告にＲＡ手順を伴う場合に限って、ユーザ装置は、バックオフ機能を適用するようにしてもよい。例えば、ユーザ装置は、スケジューリングリクエストリソースがマスタ基地局に設定されている場合、バックオフ機能を適用せず、無線リンク障害の検出後速やかにマスタ基地局に無線リンク障害を通知してもよい。また、各ユーザ装置に設定されたバックオフタイマのタイマ値を分散化させることによって、デュアルコネクティビティにより通信中のユーザ装置間のアクセスも分散化させることが可能になる。
【００２０】
図５を参照して、本発明の一実施例による無線通信システムを説明する。図５は、本発明の一実施例による無線通信システムを示す概略図である。
【００２１】
図５に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するデュアルコネクティビティをサポートし、図示されるように、ユーザ装置１００は、デュアルコネクティビティ機能を利用して、マスタ基地局（ＭｅＮＢ）２００Ａとセカンダリ基地局（ＳｅＮＢ）２００Ｂとの間で通信する。図示された実施例では、２つの基地局２００Ａ，２００Ｂしか示されていないが、一般には、無線通信システム１０のサービスエリアをカバーするよう多数の基地局２００が配置される。
【００２２】
ユーザ装置１００は、複数の基地局２００Ａ，２００Ｂと同時通信するデュアルコネクティビティ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２３】
図示された実施例では、１つのユーザ装置１００しか示されていないが、無線通信システム１０は、一般には、多数のユーザ装置１００を含む。また、無線通信システム１０は、一般にデュアルコネクティビティにより基地局２００Ａ，２００Ｂと通信するユーザ装置１００だけでなく、デュアルコネクティビティ機能をサポートしていないユーザ装置、あるいは、デュアルコネクティビティ機能をサポートしているが、当該機能を使用せず基地局２００Ａ，２００Ｂと通信しているユーザ装置をも含む。このようなデュアルコネクティビティ機能をサポートしていないユーザ装置、あるいは、デュアルコネクティビティ機能をサポートしているが、当該機能を使用せず基地局２００Ａ，２００Ｂと通信しているユーザ装置は、ここでは非デュアルコネクティビティにより通信するユーザ装置として参照される。
【００２４】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。デュアルコネクティビティでは、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。
【００２５】
次に、図６を参照して、本発明の一実施例によるユーザ装置の構成を説明する。図６は、本発明の一実施例によるユーザ装置の構成を示すブロック図である。
【００２６】
図６に示されるように、ユーザ装置１００は、送受信部１１０、無線リンク障害（ＲＬＦ）検出部１２０、バックオフタイマ管理部１３０及び無線リンク障害（ＲＬＦ）通知部１４０を有する。
【００２７】
送受信部１１０は、デュアルコネクティビティによりマスタ基地局２００Ａとセカンダリ基地局２００Ｂと同時に通信する。具体的には、送受信部１１０は、マスタ基地局２００Ａ及びセカンダリ基地局２００Ｂとの間でアップリンク／ダウンリンク制御チャネルやアップリンク／ダウンリンクデータチャネルなどの各種無線チャネルを送受信する。
【００２８】
ＲＬＦ検出部１２０は、セカンダリ基地局２００Ｂとの通信において無線リンク障害（ＲＬＦ）を検出する。具体的には、ＲＬＦ検出部１２０は、ダウンリンク品質の劣化（Ｌ１  ｆａｉｌｕｒｅ）、ＲＡプリアンブル最大再送回数の超過、ＲＬＣ最大再送回数の超過などの無線リンク障害の各種原因の何れかを検出すると、無線リンク障害が発生したと判断する。
【００２９】
一実施例では、ＲＬＦ検出部１２０は、検出した無線リンク障害の原因をバックオフタイマ管理部１３０に通知してもよい。例えば、検出した無線リンク障害がダウンリンク品質の劣化である場合、ＲＬＦ検出部１２０は、無線リンク障害の検出と共に、当該無線リンク障害の原因がダウンリンク品質の劣化であることをバックオフタイマ管理部１３０に通知する。また、検出した無線リンク障害がＲＡプリアンブル最大再送回数の超過である場合、ＲＬＦ検出部１２０は、無線リンク障害の検出と共に、当該無線リンク障害の原因がＲＡプリアンブル最大再送回数の超過であることをバックオフタイマ管理部１３０に通知する。また、検出した無線リンク障害がＲＬＣ最大再送回数の超過である場合、ＲＬＦ検出部１２０は、無線リンク障害の検出と共に、当該無線リンク障害の原因がＲＬＣ最大再送回数の超過であることをバックオフタイマ管理部１３０に通知する。
【００３０】
バックオフタイマ管理部１３０は、無線リンク障害の検出に応答して、バックオフタイマを起動する。具体的には、バックオフタイマ管理部１３０は、ＲＬＦ検出部１２０から無線リンク障害の検出が通知されると、マスタ基地局２００Ａによるデュアルコネクティビティの設定時に設定したバックオフタイマを起動し、バックオフタイマが満了すると、当該バックオフタイマの満了をＲＬＦ通知部１４０に通知する。
【００３１】
一実施例では、無線リンク障害の検出に応答して、バックオフタイマ管理部１３０は、無線リンク障害の報告にＲＡ手順を伴うか判定し、無線リンク障害の報告にＲＡ手順を伴う場合に限って、バックオフ機能を適用するようにしてもよい。具体的には、無線リンク障害の検出に応答して、バックオフタイマ管理部１３０は、マスタ基地局２００Ａとの通信においてスケジューリングリクエストリソースが設定されているか否か判定してもよい。スケジューリングリクエストリソースが設定されていない場合、バックオフタイマ管理部１３０はバックオフタイマを起動する一方、スケジューリングリクエストリソースが設定されている場合、バックオフ機能を適用することなく、ＲＬＦ通知部１４０にバックオフタイマの満了を通知するようにしてもよい。スケジューリングリクエストリソースが設定されている場合、ユーザ装置１００にマスタ基地局２００Ａから個別に無線リソースが割り当てられている。従って、ＲＬＦ通知部１４０は、当該無線リソースを利用することによって、マスタ基地局２００Ａに無線リンク障害を通知することが可能である。このため、無線リンク障害の検出後にバックオフタイマの満了まで待機することなく無線リンク障害をマスタ基地局２００Ａに速やかに通知したとしても、非デュアルコネクティビティにより通信する他のユーザ装置とのＲＡＣＨ衝突は発生しない。ここで、スケジューリングリクエストリソースがマスタ基地局２００Ａにおいて設定されていない状況とは、例えば、マスタ基地局２００Ａとの通信が間欠受信（Ｄｉｓｃｏｎｔｉｎｕｏｕｓ  Ｒｅｃｅｐｔｉｏｎ：ＤＲＸ）状態になっているケースなどが想定される。
【００３２】
一実施例では、バックオフタイマ管理部１３０は、デュアルコネクティビティが設定される際、バックオフタイマをマスタ基地局２００Ａから指定されたタイマ値に設定してもよい。例えば、当該タイマ値は、全てのセカンダリセルグループに対して共通の値に設定されてもよいし、又は各セカンダリセルグループに対して個別の値に設定されてもよい。
【００３３】
また、一実施例では、当該タイマ値は、各ユーザ装置に対して分散された個別の値に設定されてもよい。例えば、マスタ基地局２００Ａは、各ユーザ装置のタイマ値を分散した値に設定することによって、セカンダリ基地局２００Ｂの通信断が発生した場合、当該セカンダリ基地局２００Ｂとデュアルコネクティビティにより通信していたユーザ装置１００が一斉にマスタ基地局２００Ａに無線リンク障害を報告する事態を回避することが可能になる。また、他の実施例では、同様の事態の発生を回避するため、バックオフタイマ管理部１３０は、マスタ基地局２００Ａにより指定されたタイマ値を上限とする範囲からバックオフタイマのタイマ値をランダムに選択してもよい。
【００３４】
また、一実施例では、バックオフタイマ管理部１３０は、無線リンク障害の原因毎にバックオフタイマを設定してもよい。例えば、ＲＬＦ検出部１２０から無線リンク障害の検出と共に、当該無線リンク障害の原因が通知されると、バックオフタイマ管理部１３０は、通知された無線リンク障害の原因に対応してバックオフタイマの起動の要否を判断してもよい。具体的には、バックオフタイマ管理部１３０は、所定の無線リンク障害の原因（Ｌ１  ｆａｉｌｕｒｅなど）に対してのみバックオフ機能を適用し、バックオフタイマを起動するようにしてもよい。他方、その他の無線リンク障害の原因に対しては、バックオフタイマ管理部１３０は、マスタ基地局２００Ａに無線リンク障害を速やかに通知するため、バックオフ機能を適用せず、バックオフタイマを起動することなくバックオフタイマの満了をＲＬＦ通知部１４０に通知してもよい。換言すると、バックオフタイマ管理部１３０は、無線リンク障害の全ての原因に対してバックオフ機能を適用しなくてもよい。
【００３５】
一例として、バックオフタイマ管理部１３０は、ダウンリンク品質の劣化（Ｌ１  ｆａｉｌｕｒｅ）などのセカンダリ基地局２００Ｂを起因とする無線リンク障害に対してバックオフタイマを起動する一方、ＲＡプリアンブル最大再送回数の超過やＲＬＣ最大再送回数の超過などのユーザ装置１００を起因とする無線リンク障害に対してはバックオフ機能を適用しなくてもよい。セカンダリ基地局２００Ｂを起因とする無線リンク障害のケースでは、当該セカンダリ基地局２００Ｂと通信していたユーザ装置が一斉にマスタ基地局２００Ａにアクセスするおそれがあり、バックオフ機能を利用したアクセスの分散化は好ましいと考えられる。他方、ユーザ装置１００を起因とする無線リンク障害のケースでは、そのような一斉アクセスの可能性は低く、むしろバックオフ機能を適用することなく早期にマスタ基地局２００Ａに無線リンク障害を報告することが好ましいと考えられる。
【００３６】
他の例では、バックオフタイマ管理部１３０は、ＲＡプリアンブル最大再送回数の超過やＲＬＣ最大再送回数の超過などのユーザ装置１００を起因とする無線リンク障害に対しては、セカンダリ基地局２００Ｂを起因とする無線リンク障害により相対的に短いタイマ値をバックオフタイマに設定してもよい。ここで、タイマ値が０に設定されるケースは、上述されたバックオフ機能がオフにされることと等価である。
【００３７】
ＲＬＦ通知部１４０は、バックオフタイマの満了に応答して、無線リンク障害をマスタ基地局２００Ａに通知する。具体的には、バックオフタイマ管理部１３０からバックオフタイマの満了が通知されると、ＲＬＦ通知部１４０は、無線リンク障害をマスタ基地局２００Ａに通知する。
【００３８】
一実施例では、ＲＬＦ通知部１４０は、バッファステータスレポート（Ｂｕｆｆｅｒ  Ｓｔａｔｕｓ  Ｒｅｐｏｒｔ：ＢＳＲ）の送信を遅延させることによって、無線リンク障害の通知を遅延させてもよい。他の実施例では、ＲＬＦ通知部１４０は、スケジューリングリクエストの送信を遅延させることによって、無線リンク障害の通知を遅延させてもよい。
【００３９】
次に、図７を参照して、本発明の一実施例によるユーザ装置における無線リンク障害通知処理を説明する。図７は、本発明の一実施例による無線リンク障害通知処理を示すフロー図である。
【００４０】
図７に示されるように、当該無線リンク障害通知処理は、例えば、マスタ基地局２００Ａによるデュアルコネクティビティの設定に応答して開始される。当該デュアルコネクティビティが設定されると、ユーザ装置１００は、マスタ基地局２００Ａにより指定されたタイマ値にバックオフタイマを設定する。一実施例では、バックオフタイマ管理部１３０は、デュアルコネクティビティが設定される際、バックオフタイマをマスタ基地局２００Ａから指定されたタイマ値に設定してもよい。例えば、当該タイマ値は、全てのセカンダリセルグループに対して共通の値に設定されてもよいし、又は各セカンダリセルグループに対して個別の値に設定されてもよい。また、一実施例では、当該タイマ値は、各ユーザ装置に対して分散された個別の値に設定されてもよい。また、他の実施例では、バックオフタイマ管理部１３０は、マスタ基地局２００Ａにより指定されたタイマ値を上限とする範囲からバックオフタイマのタイマ値をランダムに選択してもよい。
【００４１】
ステップＳ１０１において、ＲＬＦ検出部１２０は、セカンダリ基地局２００Ｂとの通信において無線リンク障害（ＲＬＦ）を検出する。ＲＬＦ検出部１２０は、例えば、ダウンリンク品質の劣化（Ｌ１  ｆａｉｌｕｒｅ）、ＲＡプリアンブル最大再送回数の超過、ＲＬＣ最大再送回数の超過などの無線リンク障害の各種原因の何れかを検出したことによって、無線リンク障害を検出してもよい。
【００４２】
ステップＳ１０２において、バックオフタイマ管理部１３０は、無線リンク障害の検出に応答して、バックオフタイマを起動する。一実施例では、バックオフタイマ管理部１３０は、無線リンク障害の検出に応答して、マスタ基地局２００Ａとの通信においてスケジューリングリクエストリソースが設定されているか否か判定し、スケジューリングリクエストリソースが設定されていない場合、バックオフタイマを起動してもよい。他方、スケジューリングリクエストリソースが設定されている場合、バックオフタイマ管理部１３０はバックオフタイマを起動することなく、バックオフタイマが満了したと判定してもよい。
【００４３】
他の実施例では、バックオフタイマ管理部１３０は、無線リンク障害の原因毎にバックオフタイマを設定してもよい。例えば、バックオフタイマ管理部１３０は、所定の無線リンク障害の原因（Ｌ１  ｆａｉｌｕｒｅなど）に対してのみバックオフ機能を適用し、バックオフタイマを起動し、その他の無線リンク障害の原因に対しては、マスタ基地局２００Ａに無線リンク障害を速やかに通知するため、バックオフ機能を適用しなくてもよい。バックオフ機能を適用する無線リンク障害の原因として、ダウンリンク品質の劣化（Ｌ１  ｆａｉｌｕｒｅ）などのセカンダリ基地局２００Ｂを起因とする無線リンク障害の原因が適用されてもよい。他方、バックオフタイマ管理部１３０は、ＲＡプリアンブル最大再送回数の超過やＲＬＣ最大再送回数の超過などのユーザ装置１００を起因とする無線リンク障害に対してはバックオフ機能を適用せず、バックオフタイマを起動することなく、バックオフタイマが満了したと判定してもよい。
【００４４】
ステップＳ１０３において、バックオフタイマ管理部１３０は、バックオフタイマが満了したか判定する。すなわち、バックオフタイマ管理部１３０は、バックオフタイマに設定されたタイマ値の期間が経過したか判定する。バックオフタイマが満了した場合（Ｓ１０３：ＹＥＳ）、バックオフタイマ管理部１３０は、ＲＬＦ通知部１４０にバックオフタイマの満了を通知する。他方、バックオフタイマが満了していない場合（Ｓ１０３：ＮＯ）、バックオフタイマ管理部１３０は、バックオフタイマの満了まで待機する。例えば、バックオフタイマ管理部１３０は、ＲＬＦ通知部１４０にマスタ基地局２００Ａへのバッファステータスレポート又はスケジューリングリクエストの送信を保留させてもよい。
【００４５】
ステップＳ１０４において、ＲＬＦ通知部１４０は、バックオフタイマの満了に応答して、無線リンク障害をマスタ基地局２００Ａに通知する。なお、上述したように、スケジューリングリクエストリソースが設定され、バックオフ機能が適用されなかった場合、ＲＬＦ通知部１４０は、ユーザ装置１００に個別に割り当てられているスケジューリングリクエストリソースを用いて無線リンク障害を通知することができる。
【００４６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４７】
１０  無線通信システム
１００  ユーザ装置
１１０  送受信部
１２０  無線リンク障害（ＲＬＦ）検出部
１３０  バックオフタイマ管理部
１４０  無線リンク障害（ＲＬＦ）通知部
２００Ａ  マスタ基地局
２００Ｂ  セカンダリ基地局
【図１】
2015226295.tif 000003
【図２】
2015226295.tif 000004
【図３】
2015226295.tif 000005
【図４】
2015226295.tif 000006
【図５】
2015226295.tif 000007
【図６】
2015226295.tif 000008
【図７】
2015226295.tif 000009